(57)【要約】【課題】スライド部の撓みを抑制し、スムーズにスライドさせる。【解決手段】幅方向Ａに移動可能に給紙カセットのカセット本体に装着されるスライド部３２Ａはスリット孔５０Ａからの抜け止めとなる３個の固定部６０Ａ，６１Ａ，６２Ａを有している。したがって、スライド部３２Ａ（サイドガイド部３０Ａ）を幅方向にスライドさせる際、幅方向の両端に配置されている２つの固定部６０Ａ，６２Ａの間に配置された固定部６１Ａによって、スライド部３２Ａの撓みが抑制される。よって、スライド部３２Ａ（サイドガイド部３０Ａ）がスムーズに移動する。また、撓み防止のためにスライド部３２Ａを肉厚とする等して必要以上に強度上げる必要がない。【選択図】図６
2008120467.tif 000002
【特許請求の範囲】
【請求項１】
シート状の記録媒体を収容する記録媒体収容部本体と、
前記記録媒体収容部本体に設けられ、前記記録媒体の給送方向と直交する幅方向を長手方向とするスリット孔と、
前記スリット孔上に設けられ該スリット孔より大きな取付孔と、
前記幅方向に並んで設けられ、前記取付孔から差し込まれた後、該幅方向に移動されることで、該スリット孔からの抜け止めとなる３個以上の固定部を有するスライド部と、
前記スライド部と一体となって前記幅方向に移動し、該記録媒体の端部に当って該記録媒体の該幅方向の位置決めをするガイド部と、
を備えることを特徴とする記録媒体収容部。
【請求項２】
前記取付孔の数は、前記固定部の数より少ないことを特徴とする請求項１に記載の記録媒体収容部。
【請求項３】
前記固定部と前記取付孔のいずれか一方又は両方の前記幅方向の端部に面取部を形成したことを特徴とする請求項１、又は請求項２に記載の記録媒体収容部。
【請求項４】
前記ガイド部が、前記記録媒体の前記幅方向の大きさに応じて移動させた位置、及びこの位置の近傍では、前記取付孔と前記固定部とが重ならないように配置したことを特徴とする請求項１から請求項３のいずれか１項に記載の記録媒体収容部。
【請求項５】
前記スライド部を前記記録媒体収容部本体に取り付けた後、
前記スライド部を前記記録媒体収容部本体に取り付けた取付位置への移動を規制する規制手段を備えることを特徴とする請求項１から請求項４のいずれか１項に記載の記録媒体収容部。
【請求項６】
シート状の記録媒体を収容する記録媒体収容部本体と、
前記記録媒体収容部本体に設けられ、前記記録媒体の給送方向と直交する幅方向を長手方向とするスリット孔と、
前記スリット孔上に設けられ該スリット孔より大きな取付孔と、
前記幅方向に並んで設けられ、前記取付孔から差し込まれた後、該幅方向に移動されることで、該スリット孔からの抜け止めとなる３個以上の固定部を有するスライド部と、
前記スライド部と一体となって前記幅方向に移動し、該記録媒体の端部に当って該記録媒体の該幅方向の位置決めをするガイド部と、
を備え、
前記固定部の少なくとも一つ以上を残して、前記スライド部を撓ませて前記固定部を前記取付孔に差し込む第一工程と、
前記スライド部を前記幅方向に移動し、前記第一工程で前記取付孔に差し込まれなかった固定部を該取付孔に差し込んで取り付ける第二工程と、
を有することを特徴とする記録媒体収容部の組立方法。
【請求項７】
前記第一工程では、前記幅方向に並んだ前記固定部の両端側に配置された二つの固定部を少なくとも残して、前記ガイド部を撓ませて、前記両端側に配置された前記二つの固定部以外の前記固定部を前記取付孔に差し込むことを特徴とする請求項６に記載の記録媒体収容部の組立方法。
【請求項８】
前記取付孔の数は、前記固定部の数より少ないことを特徴とする請求項６、又は請求項７に記載の記録媒体収容部の組立方法。
【発明の詳細な説明】
【技術分野】
【０００１】
本発明は、記録媒体収容部、及び記録媒体収容部の組立方法に関する。
【背景技術】
【０００２】
画像形成装置には、画像を形成するシート状の記録媒体を収容する記録媒体収容部が備えられている。この記録媒体収容部には、記録媒体の大きさ（サイズ）に応じて給送方向と直交する幅方向に移動し、記録媒体の幅方向の位置を規制するガイド部を備えている。更に、ガイド部は一対備えられ、それぞれのガイド部には、ピニオンを挟んでピニオンに噛合するラックが形成されたスライド部を備えている。よって、一方のガイド部の移動に連動して、他方のガイド部が移動する構成となっている。
【０００３】
さて、スライド部の取り付けは、別体となっているガイド部とスライド部とで記録媒体収容部本体の底面を挟んで行なっている。又は、スライド部の両端部分に、スライド部がスライドするスリット孔からの抜け止めを設けている（例えば、特許文献１、特許文献２を参照）。
【特許文献１】特許３４１０２４６号
【特許文献２】特許３６８９５２５号
【発明の開示】
【発明が解決しようとする課題】
【０００４】
しかしながら、スライド部の上面、又は両端部分の二箇所で固定すると、スライド部の強度が十分でないと、スライド部が撓みやすい。また、スライド部が撓むとスライド部の移動がスムーズに行なえない。このため、スライド部が撓まないように、スライド部の肉厚を厚くしたりして、スライド部の強度を上げていた。
【０００５】
本発明は、上記問題を解決すべく成されたもので、スライド部の撓みを抑制し、スムーズにスライドさせることを目的とする。
【課題を解決するための手段】
【０００６】
上記目的を達成するために請求項１に記載の記録媒体収容部は、シート状の記録媒体を収容する記録媒体収容部本体と、前記記録媒体収容部本体に設けられ、前記記録媒体の給送方向と直交する幅方向を長手方向とするスリット孔と、前記スリット孔上に設けられ該スリット孔より大きな取付孔と、前記幅方向に並んで設けられ、前記取付孔から差し込まれた後、該幅方向に移動されることで、該スリット孔からの抜け止めとなる３個以上の固定部を有するスライド部と、前記スライド部と一体となって前記幅方向に移動し、該記録媒体の端部に当って該記録媒体の該幅方向の位置決めをするガイド部と、を備えることを特徴としている。
【０００７】
請求項１に記載の記録媒体収容部では、幅方向に移動可能に記録媒体収容部本体に装着されるスライド部はスリット孔からの抜け止めとなる３個以上の固定部を有している。
【０００８】
したがって、スライド部を幅方向にスライドさせる際、幅方向の両端側に配置されている２つの固定部の間に配置された固定部によって、スライド部の撓みが抑制される。よって、スライド部がスムーズに移動する。また、撓み防止のためにスライド部の肉厚を厚くするなどして強度を上げる必要がない。
【０００９】
請求項２に記載の記録媒体収容部は、請求項１に記載の構成において、前記取付孔の数は、前記固定部の数より少ないことを特徴としている。
【００１０】
請求項２に記載の記録媒体収容部では、取付孔の数は固定部の数より少ない。したがって、スライド部を幅方向に移動しても全ての固定部が取付孔と重なることがない。よって、スライド部が、記録媒体収容部本体から外れにくい。
【００１１】
請求項３に記載の記録媒体収容部は、請求項１、又は請求項２に記載の構成において、前記固定部と前記取付孔のいずれか一方又は両方の前記幅方向の端部に面取部を形成したことを特徴としている。
【００１２】
請求項３に記載の記録媒体収容部では、固定部と取付孔のいずれか一方又は両方の幅方向の端部に面取部を形成している。したがって、スライド部を幅方向に移動する際に、固定部が取付孔に引っ掛かることなくスムーズに通過する。つまり、スライド部がよりスムーズに移動する。
【００１３】
請求項４に記載の記録媒体収容部は、請求項１から請求項３のいずれか１項に記載の構成において、前記ガイド部が、前記記録媒体の前記幅方向の大きさに応じて移動させた位置、及びこの位置の近傍では、前記取付孔と前記固定部とが重ならないように配置したことを特徴としている。
【００１４】
請求項４に記載の記録媒体収容部では、ガイド部は記録媒体の幅方向の大きさに応じて移動させた位置のときに、取付孔と固定部とが重ならないので、スライド部が外れない。また、この位置の近傍でも、取付孔と固定部とが重ならないので、記録媒体の幅に応じてガイド部を微調整する作業がスムーズに行なえる。
【００１５】
請求項５に記載の記録媒体収容部は、請求項１から請求項４のいずれか１項に記載の構成において、前記スライド部を前記記録媒体収容部本体に取り付けた後、前記スライド部を前記記録媒体収容部本体に取り付けた取付位置への移動を規制する規制手段を備えることを特徴としている。
【００１６】
請求項５に記載の記録媒体収容部では、スライド部を記録媒体収容部本体に取り付けた後は、規制手段によって元の取付位置への移動を規制されている。よって、元の取付位置に移動して誤って外れてしまうことが防止される。
【００１７】
請求項６に記載の記録媒体収容部の組立方法は、シート状の記録媒体を収容する記録媒体収容部本体と、前記記録媒体収容部本体に設けられ、前記記録媒体の給送方向と直交する幅方向を長手方向とするスリット孔と、前記スリット孔上に設けられ該スリット孔より大きな取付孔と、前記幅方向に並んで設けられ、前記取付孔から差し込まれた後、該幅方向に移動されることで、該スリット孔からの抜け止めとなる３個以上の固定部を有するスライド部と、前記スライド部と一体となって前記幅方向に移動し、該記録媒体の端部に当って該記録媒体の該幅方向の位置決めをするガイド部と、を備え、前記固定部の少なくとも一つ以上を残して、前記スライド部を撓ませて前記固定部を前記取付孔に差し込む第一工程と、前記スライド部を前記幅方向に移動し、前記第一工程で前記取付孔に差し込まれなかった固定部を該取付孔に差し込んで取り付ける第二工程と、を有することを特徴としている。
【００１８】
請求項６に記載の記録媒体収容部の組立方法では、第一工程で固定部の少なくとも一つ以上を残して、スライド部を撓ませて固定部を取付孔に差し込む。そして、第二工程で、スライド部を幅方向に移動し、第一工程で取付孔に差し込まれなかった固定部を取付孔に差し込んで取り付ける。
【００１９】
このように組み立てることで、スリット孔からの抜け止めとなる３個以上の固定部を有するスライド部を幅方向に移動可能に容易に固定できる。
【００２０】
請求項７に記載の記録媒体の組立方法は、請求項６に記載の構成において、前記第一工程では、前記幅方向に並んだ前記固定部の両端側に配置された二つの固定部を少なくとも残して、前記ガイド部を撓ませて、前記両端側に配置された前記二つの固定部以外の前記固定部を前記取付孔に差し込むことを特徴している。
【００２１】
請求項７に記載の記録媒体の組立方法では、第一工程では、幅方向に並んだ固定部の両端側に配置された二つの固定部を少なくとも残して、スライド部の幅方向の両端側を反らせ中央部分を凹ますように大きく撓ませて、残りの固定部（両端側に配置された二つの固定部以外の固定部）を取付孔に差し込むので、作業性が良い。換言すると、ガイド部を持ってスライド部を容易に大きく撓ませられるので作業性が良い。
【００２２】
請求項８に記載の記録媒体の組立方法は、請求項６、又は請求項７に記載の構成において、前記取付孔の数は、前記固定部の数より少ないことを特徴としている。
【００２３】
請求項８に記載の記録媒体の組立方法では、取付孔の数は、固定部の数より少ないが、スライド部を撓ませて固定部を取付孔に差し込んだのち、スライド部を幅方向に移動し、取付孔に差し込まれなかった固定部を取付孔に差し込んで取り付けることができる。
【００２４】
また、スライド部を幅方向に移動しても全ての固定部が取付孔と重なることがない。よって、スライド部が、記録媒体収容部本体から外れにくい。
【発明の効果】
【００２５】
以上説明したように本発明によれば、スライド部を幅方向にスライドさせる際、幅方向の両端側に配置されている二つの固定部の間に配置された固定部によって、スライド部の撓みが抑制されるので、スライド部がスムーズに移動する。
【発明を実施するための最良の形態】
【００２６】
以下、図面を参照して本発明の実施形態の一例について説明する。
【００２７】
図１に示す画像形成装置１０は、外部装置から入力された画像情報に基づいてシート状の記録媒体としての記録用紙Ｐ（図２参照）に画像を形成するものであり、装置本体１２の下部に、記録媒体収容部としての給紙カセット２０が配置されている。
【００２８】
図１と図２とに示すように、給紙カセット２０は、装置本体１２の正面に形成された装着口１８から抜き差し方向（矢印Ｓ方向）に抜き差しすることで、着脱可能とされている。
【００２９】
図３に示すように、給紙カセット２０は、箱状に形成され、記録用紙Ｐ（図２参照）を収容する記録媒体収容部本体としてのカセット本体２２を備えている。カセット本体２２は、長方形状の底面２４と、この底面２４の外周に沿って外枠を構成する枠壁２５とを備えている。また、カセット本体２２の底面２４の上に、弾性部材（図示略）の弾性力により上昇方向に持ち上げられるボトムプレート２６が備えられ、このボトムプレート２６上に記録紙用紙Ｐ（図２参照）が積載される。
【００３０】
そして、給紙カセット２０に収容された記録用紙Ｐは、図示しない給紙機構によって、給送方向（矢印Ｔ方向）に送り出される。給紙カセット２０から給送された記録用紙Ｐは、図示しない搬送手段により搬送され、図１に示す画像形成装置１０内の図示しない画像形成部で画像が形成されて、装置本体１２の上部の排紙部１４に排出される。
【００３１】
なお、画像形成装置１０の画像形成部の画像形成方式は、どのような方式であっても良い。例えば、電子写真方式であっても良いし、インクジェット方式であっても良い。或いは、熱転写方式やインパクトドット方式であっても良い。
【００３２】
また、シート状の記録媒体は記録用紙Ｐに限定されない。例えば、ＯＨＰシートであっても良い。画像が形成可能のシート状の記録媒体であれば良い。
【００３３】
さて、図３に示すように、給紙カセット２０のカセット本体２２における、記録用紙Ｐの給送方向（矢印Ｔ方向）と直交する幅方向（矢印Ｗ方向）の両側に配置された枠壁２５の内側には、２枚のサイドガイド部３０Ａ、３０Ｂが設けられている。これらのサイドガイド部３０Ａ、３０Ｂは、カセット本体２２に収容される記録用紙Ｐ（図２参照）の幅方向の端部に当って、記録用紙Ｐの幅方向の位置決めをする。
【００３４】
なお、以降、一方をサイドガイド部３０Ａのように符号（３０）の後にＡを付し、他方をサイドガイド部３０Ｂにように符号（３０）の後にＢを付す。また、一方のサイドガイド部３０Ａに対応する各種部材等も符号の後にＡを付し、他方のサイドガイド部３０Ｂに対応する各種部材等も符号の後にＢを付す。更に、一方（又は他方）のみを図示して説明し、他方（又は一方）の図示や説明を省略する場合もある。
【００３５】
サイドガイド部３０Ａ、３０Ｂは、略長方形板状とされ、板面が両サイドの枠壁２５と略平行になるように配置されている。サイドガイド部３０Ａ、３０Ｂの下部には、両サイドの枠壁２５から離れる方向（幅方向Ｗの内側方向）に延出したスライド部３２Ａ、３２Ｂが形成されている。そして、これらスライド部３２Ａ、３２Ｂは、互いに平行に並ぶように配置されている。また、スライド部３２Ａ、３２Ｂには、互いに相対する辺部にラック歯Ｈが形成されている。
【００３６】
図４にも示すように、底面２４の幅方向（矢印Ｗ方向）の中央部には、スライド部３２Ａ、３２Ｂのラック歯Ｈと噛み合い可能なピニオン３４が回転可能に取り付けられている（図４は、判りやすくするため、ボトムプレート２６の図示を省略すると共に、ラック歯Ｈを模式的に図示している）。
【００３７】
図５と図６とに示すように、底面２４には、スライド部３２Ａ，３２Ｂの下方で幅方向（矢印Ｗ方向）を長手方向するスリット孔５０Ａ，５０Ｂが形成されている（図５は給紙カセット２０を裏側（図４と反対側）から見た図である）。また、このスリット孔５０Ａ，５０Ｂ上には、このスリット孔５０Ａ，５０Ｂより大きな取付孔５２Ａ，５４Ａ，５２Ｂ，５４Ｂが形成されている（各スリット孔５０Ａ，５０Ｂ上に、それぞれ各二つの取付孔５２Ａ，５４Ａ、５２Ｂ，５４Ｂが形成されている）。
【００３８】
そして、図６に示すように、これらの取付孔５２Ａ，５４Ａから、スライド部３２Ａの下面から下向きに突出した逆Ｔ字状の固定部６０Ａ，６１Ａ，６２Ａが挿入され、その後、幅方向Ｗに移動させることで、スライド部３２Ａ及びサイドガイド部３０Ａが、幅方向に自在に移動可能に取り付けられる（取付方法の詳細は後述する）。なお、図６では、スライド部３２Ａ及びサイドガイド部３０Ａのみ図示しているが、他方のスライド部３２Ｂ及びサイドガイド部３０Ｂも同様である。また、固定部６０Ａ，６１Ａ，６２Ａの詳細と取付方法の詳細については、別途説明する。
【００３９】
図４に示すように、サイドガイド部３０Ａ、３０Ｂは、ピニオン３４の中心から互いに等しい距離を保ちながら、幅方向（矢印Ｗ方向）に移動する。なお、スライド部３２Ａ、３２Ｂ、及び、ピニオン３４の上方には、前述したように、ボトムプレート２６（図３参照）が配置される。
【００４０】
つぎに、スライド部３２Ａの固定部６０Ａ，６２Ａ，６４Ａの詳細について説明する。なお、一方のスライド部３２Ａのみ図示して説明するが、他方のスライド部３２Ｂも同様である。
【００４１】
図６に示すように、スライド部３２Ａの下面から下向きに、三つの逆Ｔ字状の固定部６０Ａ，６１Ａ，６２Ａが突出している。
【００４２】
図１０に示すように、固定部６０Ａ，６１Ａ，６２Ａは、スライド部３２Ａの下面から下向きに突出する軸部６３Ａ，６４Ａ，６５Ａと、軸部６３Ａ，６４Ａ，６５Ａの先端部から、矢印Ｓ方向（幅方向Ｗと直交する方向）に略水平に延出しているフック部６６Ａ，６７Ａ，６８Ａと、を備えている。フック部６６Ａ，６７Ａ，６８Ａは取付孔５２Ａ，５４Ａより小さいがスリット孔５０Ａより幅広である。
【００４３】
図１０、図１１に示すように、フック部６６Ａ，６７Ａ，６８Ａの幅方向Ｗの両端部の上部の角部には面取部７０が形成されている。また、図１１に示すように、取付孔５２Ａ、５４Ａの幅方向の両端の下部の角部には面取部７２が形成されている。
【００４４】
つぎに、スライド部３２Ａ，３２Ｂ（及びサイドガイド部３０Ａ，３０Ｂ）の取付方法の詳細について説明する。なお、同様に、一方のスライド部３２Ａのみ図示して説明するが、他方のスライド部３２Ｂも同様である
図７に示すように、中央の固定部６１Ａを、幅方向の外側（枠壁２５側）の取付孔５２Ａに挿入する。その際、図７（Ｂ）に示すように、スライド部３２Ａの中央部分が凹むように撓ませる。
【００４５】
つぎに、図８（Ａ）に示すように、幅方向の内側方向にスライドさせる。なお、図８（Ｂ）に示すように、爪８０を撓ませて、スライド部３２Ａを取付位置に移動させる。
【００４６】
そして、図９に示すように、先端側の固定部６０Ａを、幅方向の内側の取付孔５４Ａに挿入し、後端側（サイドガイド部３２Ａ側）の固定部６２Ａを、幅方向の外側の取付孔５２Ａに挿入する。なお、このように取付孔５２Ａ，５４Ａの間隔は、先端側の固定部６０Ａと後端側の固定部６２Ａとの間隔と等しくなっている。
【００４７】
そして、スライド部３２Ａを幅方向にスライドすることで、固定部６０Ａ，６１Ａ，６２Ａのフック部６６Ａ，６７Ａ，６８Ａが引っ掛かって抜け止めとなると共に（図９（Ｂ）参照）、固定部６０Ａ，６１Ａ，６２Ａの軸部６３Ａ，６４Ａ，６５Ａがスリット孔５０Ａに沿って移動可能となる。すなわち、スライド部３２Ａ（及びサイドガイド部３０Ａ）が幅方向に移動可能に、カセット本体２２に装着される。
【００４８】
なお、図８（Ｃ）に示すように、取付後、爪８０は弾性により復帰し、スライド部３２Ａの端面に当接することで、取付位置（図９の状態）に移動することを規制する。
【００４９】
つぎに、記録用紙Ｐのセット手順について説明する。
【００５０】
まず、給紙カセット２０を引き出す（図２参照）。ついで、記録用紙Ｐの定形サイズ（例えば、Ａ４サイズ、Ｂ５サイズ、レターサイズ等）に応じて、サイドガイド部３０Ａ、又はサイドガイド部３０Ｂのいずれか一方を幅方向に移動させる。このとき、他方のサイドガイド部３０Ｂ、又はサイドガイド部３０Ａは、ピニオン３４を介して一方のサイドガイド部３０Ａ，３０Ｂと連動して移動する。
【００５１】
この状態で、記録用紙Ｐを給紙カセット２０内のサイドガイド部３０Ａ、３０Ｂの間にセットする。このとき、サイドガイド部３０Ａ、３０Ｂと記録用紙Ｐの幅方向の端部との間に隙間があれば、移動させて当接させる。そして、給紙カセット２０を装着する（図１参照）。
【００５２】
さて、このとき、カセット本体２２に収容される記録用紙Ｐの定形サイズ（例えば、Ａ４サイズ、Ｂ５サイズ、レターサイズなど）の幅方向の端部の位置にサイガイド３０Ａ，３０Ｂを移動させた場合、固定部６０Ａ，６１Ａ，６２Ａが止まる位置は、取付孔５２Ａ，５４Ａ，５２Ｂ，５４Ｂとは重ならない位置とされており、更に、このとき固定部６０Ａ，６１Ａ，６２Ａは取付孔５２Ａ，５４Ａ，５２Ｂ，５４Ｂの近傍位置にも止まらないようになっている。
【００５３】
また、図８（Ａ）（Ｃ）に示すように、爪８０が突出している。よって、スライド部３２Ａ，３２Ｂを取付た後、スライド部３２Ａ，３２Ｂの端部が爪８０に当り、取付位置（図９の状態）には、移動しないようになっている。
【００５４】
つぎに本実施形態の作用について説明する。
【００５５】
幅方向に移動可能に給紙カセット２０のカセット本体２２に装着されるスライド部３２Ａ，３２Ｂはスリット孔５０Ａ，５０Ｂからの抜け止めとなる３個の固定部６０Ａ，６１Ａ，６２Ａ，６０Ｂ，６１Ｂ，６２Ｂを有している。
【００５６】
したがって、スライド部３２Ａ，３２Ｂ（サイドガイド部３０Ａ，３０Ｂ）を幅方向にスライドさせる際、幅方向の両端に配置されている２つの固定部６０Ａ，６２Ａ，６０Ｂ，６２Ｂの間に配置された固定部６１Ａ，６１Ｂによって、スライド部３２Ａ，３２Ｂの撓みが抑制される。よって、スライド部３２Ａ，３２Ｂ（サイドガイド部３０Ａ，３０Ｂ）がスムーズに移動する。また、撓み防止のためにスライド部３２Ａ，３２Ｂを肉厚とする等して必要以上にスライド部３２Ａ，３２Ｂの強度を上げる必要がない。
【００５７】
更に、取付孔５２Ａ，５４Ａ，５２Ｂ，５４Ｂは各二つであり、固定部６０Ａ，６１Ａ，６２Ａ，６０Ｂ，６１Ｂ，６２Ｂは各３つである。つまり、取付孔の方が固定部の数より少ない。したがって、スライド部３２Ａ，３２Ｂを幅方向に移動しても全ての固定部６０Ａ，６１Ａ，６２Ａ，６０Ｂ，６１Ｂ，６２Ｂが取付孔５２Ａ，５４Ａ，５２Ｂ，５４Ｂと重なることがない。よって、スライド部３２Ａ，３２Ｂが、カセット本体２２から外れにくい。
【００５８】
また、図７に示すように、両端側に配置されている２つの固定部６０Ａ，６２Ａ，６０Ｂ，６２Ｂを残し、スライド部３２Ａ，３２Ｂの両端側を反らせ中央部分を凹ますように大きく撓ませて、中央部分に配置されている固定部６１Ａ，６１Ｂを取付孔５２Ａ，５２Ｂに差し込むように組み立てるので作業性が良い。すなわち、スライド部３２Ａ、３２Ｂが容易に大きく撓むので作業性がよい。
【００５９】
また、スライド部３２Ａ，３２Ｂを上方から取り付けるので作業性が良いし、別途、抜け止め部材を取り付ける必要がない。
【００６０】
また、図１０と図１１とに示すように、固定部６０Ａ，６１Ａ，６２Ａ，６０Ｂ，６１Ｂ，６２Ｂのフック部６６Ａ，６７Ａ，６８Ａ，６６Ｂ，６７Ｂ，６８Ｂの幅方向の両端部の上部の角部は面取部７０が形成されている。また、取付孔５２Ａ，５４Ａ，５２Ｂ，５４Ｂの幅方向の両端の下部の角部にも面取部７２が形成されている。
【００６１】
よって、固定部６０Ａ，６１Ａ，６２Ａ，６０Ｂ，６１Ｂ，６２Ｂが取付孔５２Ａ，５４Ａ，５２Ｂ，５４Ｂを通過する際、フック部６６Ａ，６７Ａ，６８Ａ，６６Ｂ，６７Ｂ，６８Ｂが取付孔５２Ａ，５４Ａ，５２Ｂ，５４Ｂに引っ掛かることなく、スムーズに通過する。つまり、スライド部３２Ａ，３２Ｂがよりスムーズにスライドする。なお、本実施形態では、固定部のフック部に面取部７０を設け、取付孔に面取部７２を設けている（つまり、フック部と取付孔の両方に面取部を設けた）。しかし、フック部と取付孔のいずれか一方のみ面取部を設けた構成であっても良い。
【００６２】
また、カセット本体２２に収容される記録用紙Ｐの定形サイズ（例えば、Ａ４サイズ、Ｂ５サイズ、レターサイズなど）の幅方向の端部の位置にサイガイド３０Ａ，３０Ｂを移動させた場合、固定部６０Ａ，６１Ａ，６２Ａ，６０Ｂ，６１Ｂ，６２Ｂが止まる位置は、取付孔５２Ａ，５４Ａ，５４Ａ，５４Ｂとは重ならないので、スライド部３２Ａ，３２Ｂが外れない。また、この位置の近傍でも、取付孔５２Ａ，５４Ａ，５２Ｂ、５４Ｂと固定部６０Ａ，６１Ａ，６２Ａ，６０Ｂ，６１Ｂ，６２Ｂとが重ならないので、ガイド部の微調整がスムーズに行なえる。
【００６３】
更に、スライド部３２Ａ，３２Ｂを取付た後、スライド部３２Ａ、３２Ｂが爪８０に当り（図８（Ｃ）参照）、取付位置（図９の状態）には、移動しないようになっているので、元の取付位置に移動して誤って外れてしまうことが防止されている。
【図面の簡単な説明】
【００６４】
【図１】本発明の実施形態に係る給紙カセットを備える画像形成装置を示す斜視図である。
【図２】給紙カセットを引き出した状態の画像形成装置を示す斜視図である。
【図３】本発明の実施形態に係る給紙カセットを示す斜視図である。
【図４】本発明の実施形態に係る給紙カセットを模式的に示す平面図である。
【図５】本発明の実施形態に係る給紙カセットを裏面から見た平面図である。
【図６】本発明の実施形態に係る給紙カセットにおいて、一方のスライド部及びサイドガイド部を装着する前の状態を示す模式図である。
【図７】（Ａ）は図６の状態から一方のスライド部及びサイドガイド部の中央部分の固定部を取付孔に挿入した状態を示す図であり、（Ｂ）は横断面図である。
【図８】（Ａ）は図７の状態から一方のスライド部及びサイドガイド部を幅方向に移動した状態の図であり、（Ｂ）は爪を撓ませて、スライド部を取付位置に移動させた図であり、（Ｃ）は取付後、爪が弾性によって復帰しスライド部の移動を規制している図である。
【図９】（Ａ）は図８の状態から一方のスライド部及びサイドガイド部を幅方向に移動し、幅方向の両端側の固定部を取付孔に挿入した状態を示す図であり、（Ｂ）は（Ａ）のＢ−Ｂ断面の図である。
【図１０】固定部を示す、（Ａ）は斜視図であり、（Ｂ）は正面図である。
【図１１】取付孔を示す底面の断面図である。
【符号の説明】
【００６５】
Ｐ      記録用紙（シート状の記録媒体）
２０      給紙カセット（記録媒体収容部）
２２      カセット本体（記録媒体収容部本体）
５０Ａ    スリット孔
５０Ｂ    スリット孔
５２Ａ    取付孔
５２Ｂ    取付孔
５４Ａ    取付孔
５４Ａ    取付孔
６０Ａ    固定部
６０Ｂ    固定部
６１Ａ    固定部
６１Ｂ    固定部
６２Ａ    固定部
６２Ｂ    固定部
３２Ａ    スライド部
３２Ｂ    スライド部
３０Ａ    ガイド部
３０Ｂ    ガイド部
７０      面取部
７２      面取部
８０      爪（規制手段）
【図１】
2008120467.tif 000003
【図２】
2008120467.tif 000004
【図３】
2008120467.tif 000005
【図４】
2008120467.tif 000006
【図５】
2008120467.tif 000007
【図６】
2008120467.tif 000008
【図７】
2008120467.tif 000009
【図８】
2008120467.tif 000010
【図９】
2008120467.tif 000011
【図１０】
2008120467.tif 000012
【図１１】
2008120467.tif 000013